(57)【要約】【課題】片手で電子機器を操作する際の操作性を向上させる。【解決手段】電子機器１は、表面および背面にタッチセンサを有し、背面のタッチセンサ１３の操作を検出すると、表示部１１の上部に位置するアイコンを選択するためのカーソルを表示させ、表面のタッチセンサ１２の操作を検出すると、カーソルにより選択されたアイコンに対応する処理を実行する制御部１４を備える。【選択図】図１
2015106173.tif 000002
【特許請求の範囲】
【請求項１】
表面および背面にタッチセンサを有する電子機器であって、
背面のタッチセンサの操作を検出すると、表示部の上部に位置するアイコンを選択するためのカーソルを表示させ、表面のタッチセンサの操作を検出すると、前記カーソルにより選択されたアイコンに対応する処理を実行する制御部を備えることを特徴とする電子機器。
【請求項２】
前記制御部は、前記表示部の上部に位置する所定のエリア内におけるアイコンを選択するためのカーソルを表示させることを特徴とする、請求項１に記載の電子機器。
【請求項３】
前記制御部は、前記カーソルを表示中は、前記表示部の前記所定のエリア以外のエリアをグレーアウトすることを特徴とする、請求項２に記載の電子機器。
【請求項４】
前記制御部は、前記カーソルを表示中は、前記表面のタッチセンサの操作を検出するまで、前記カーソルにより選択されたアイコンに対応する処理を実行しないことを特徴とする、請求項１から３のいずれか一項に記載の電子機器。
【請求項５】
前記背面のタッチセンサに対する押圧を検出する押圧検出部を備え、
前記制御部は、前記押圧検出部により検出される押圧に基づくデータが所定の基準を満たした場合に、前記背面のタッチセンサの操作を検出することを特徴とする、請求項１から４のいずれか一項に記載の電子機器。
【発明の詳細な説明】
【技術分野】
【０００１】
本発明は、背面にタッチセンサを有する電子機器に関する。
【背景技術】
【０００２】
近年、ユーザによる接触を検知するタッチセンサを備えた携帯電話等の電子機器が増加している。接触の検出方式は、抵抗膜方式、静電容量方式等、種々の検出方式が知られており、いずれの方式もユーザの指やスタイラスペン等による接触物の接触を検出する。
【０００３】
また、表面に加え、背面にもタッチセンサを有する電子機器が知られている。例えば、特許文献１には、表面および背面にそれぞれ２つのタッチセンサを備え、使用状態に対応付けられた所定の対応関係に基づいて、第１背面または第２背面に対する入力を、第１表面または第２表面に対する入力として受け付けることにより、利便性を高めることが可能な携帯端末が記載されている。
【先行技術文献】
【特許文献】
【０００４】
【特許文献１】特開２０１２−２３０５６７号公報
【発明の概要】
【発明が解決しようとする課題】
【０００５】
片手で電子機器を操作する場合には、親指以外の４本の指と手のひらで電子機器の側面および背面を保持しながら、表面に表示されるアイコン、タブ等のオブジェクトを親指で操作する必要がある。しかし、電子機器が大きくなると表面の上部に表示されるオブジェクトには親指が届かなくなり、片手で電子機器を操作することが困難になるという問題があった。
【０００６】
かかる事情に鑑みてなされた本発明の目的は、片手で電子機器を操作する際の操作性を向上させることが可能な電子機器を提供することにある。
【課題を解決するための手段】
【０００７】
上記課題を解決するため、本発明に係る電子機器は、表面および背面にタッチセンサを有する電子機器であって、背面のタッチセンサの操作を検出すると、表示部の上部に位置するアイコンを選択するためのカーソルを表示させ、表面のタッチセンサの操作を検出すると、前記カーソルにより選択されたアイコンに対応する処理を実行する制御部を備えることを特徴とする。
【０００８】
さらに、本発明に係る電子機器において、前記制御部は、前記表示部の上部に位置する所定のエリア内におけるアイコンを選択するためのカーソルを表示させることを特徴とする。
【０００９】
さらに、本発明に係る電子機器において、前記制御部は、前記カーソルを表示中は、前記表示部の前記所定のエリア以外のエリアをグレーアウトすることを特徴とする。
【００１０】
さらに、本発明に係る電子機器において、前記制御部は、前記カーソルを表示中は、前記表面のタッチセンサの操作を検出するまで、前記カーソルにより選択されたアイコンに対応する処理を実行しないことを特徴とする。
【００１１】
さらに、本発明に係る電子機器において、前記背面のタッチセンサに対する押圧を検出する押圧検出部を備え、前記制御部は、前記押圧検出部により検出される押圧に基づくデータが所定の基準を満たした場合に、前記背面のタッチセンサの操作を検出することを特徴とする。
【発明の効果】
【００１２】
本発明によれば、片手で電子機器を操作する際の操作性を向上させることができるようになる。
【図面の簡単な説明】
【００１３】
【図１】本発明の第１の実施形態に係る電子機器の概略構成を示すブロック図である。
【図２】本発明の第１の実施形態に係る電子機器の実装構造の一例を示す図である。
【図３】ユーザが電子機器を左手で保持した状態を示す図である。
【図４】本発明の第１の実施形態に係る電子機器の処理を示すフローチャートである。
【図５】本発明の第１の実施形態に係る電子機器の背面タッチセンサの操作により行う処理を説明する図である。
【図６】本発明の第２の実施形態に係る電子機器の概略構成を示すブロック図である。
【図７】本発明の第２の実施形態に係る電子機器の実装構造の一例を示す図である。
【図８】本発明の第２の実施形態に係る電子機器の処理を示すフローチャートである。
【図９】本発明の第３の実施形態に係る電子機器の概略構成を示すブロック図である。
【発明を実施するための形態】
【００１４】
以下、本発明の実施形態について、図面を参照して詳細に説明する。
【００１５】
［第１の実施形態］
図１は、第１の実施形態に係る電子機器の概略構成を示すブロック図である。図１に示す例では、電子機器１は、表示部１１と、表面タッチセンサ１２と、背面タッチセンサ１３と、制御部１４と、記憶部１５と、通信部１６と、マイク１７と、スピーカ１８とを備える。
【００１６】
表示部１１は、文字、写真、アイコン（操作用オブジェクト）等の画像を表示する。表示部１１は、液晶パネル（ＬＣＤ：Liquid Crystal Display）や有機ＥＬパネル（ＯＥＬＤ：Organic Electroluminescence Display）等を用いて構成される。例えばホーム画面では、表示部１１は、電話、メール、インターネット通信、カメラ撮影等の各操作を行うためのアイコンを表示させる。
【００１７】
表面タッチセンサ１２は、表面タッチセンサ１２の入力面において、指の接触または接触の解除を検出する。そして、表面タッチセンサ１２は、入力面に対する接触位置を検出し、検出した接触位置を示す信号を制御部１４へ出力する。表面タッチセンサ１２は透明な部材で構成され、表示部１１の前面に重畳配置される。ユーザは透明の表面タッチセンサ１２を介して表示部１１の画像を視認し、表示部１１が表示するアイコンの表示位置の表面タッチセンサ１２を操作することにより、電子機器１に所定の処理を実行させる。ここで、タッチセンサの操作とは、タッチ、タップ、ダブルタップ、スライド、フリック、スワイプ等の、指をタッチセンサに接触させるあらゆる操作をいう。
【００１８】
背面タッチセンサ１３は、片手で電子機器１を操作する際の操作性を向上させるために電子機器１の背面に配置され、背面タッチセンサ１３の入力面において、指による接触または接触の解除を検出し、検出結果を制御部１４へ出力する。表面タッチセンサ１２および背面タッチセンサ１３は、例えば、抵抗膜方式、静電容量方式等の周知の方式で実現される。
【００１９】
制御部１４は、表面タッチセンサ１２から入力される信号により表面タッチセンサ１２の操作を検出すると、接触位置に表示されているアイコンに対応する処理を実行する。
【００２０】
また、制御部１４は、背面タッチセンサ１３から入力される信号により背面タッチセンサ１３の所定の操作（例えば、タップ）を検出すると、表示部１１の上部に位置するアイコンを選択するためのカーソルを表示させる。そして、背面タッチセンサ１３の所定の操作（例えば、スライド）によりカーソルを移動してアイコンが選択された後、表面タッチセンサ１２の所定の操作（例えば、表面タッチセンサ１２内の任意の場所のタップ）を検出すると、カーソルにより選択されたアイコンに対応する処理を実行する。ここで、カーソルは、表示部１１の上部に位置する所定のエリア内におけるアイコンを選択可能とする。例えば、複数のアイコンが表示された画面において、カーソルは表示部１１の上から１行目または２行目までに表示された複数のアイコンから１つのアイコンを選択可能とする。
【００２１】
記憶部１５は、半導体メモリ等で構成することができ、各種情報や電子機器１を動作させるためのプログラム等を記憶するとともに、ワークメモリとしても機能する。
【００２２】
通信部１６は、基地局または他の通信機器と無線により通信することを可能にする。
【００２３】
マイク１７は、ユーザの発話等の周囲の音を集音する。マイク１７が集音した音は、電気信号に変換して制御部１４に送られる。
【００２４】
スピーカ１８は、音声、音楽、着信音等の音を出力する。
【００２５】
図２は、第１の実施形態に係る電子機器１の実装構造の一例を示す図である。図２（ａ）は正面図であり、図２（ｂ）は図２（ａ）におけるＡ−Ａ線に沿った断面図であり、図２（ｃ）は背面図である。
【００２６】
なお、図２においては、筐体１０、表示部１１、表面タッチセンサ１２、背面タッチセンサ１３、および接合部材４０以外の要素の図示は省略している。電子機器１は、図２に示した以外にも、例えば、制御部１４、基板、及び各種部品等の要素を備えることができる。また、典型的にはマイク１７は表面タッチセンサ１２の下部に配置され、スピーカ１８は表面タッチセンサ１２の上部に配置される。
【００２７】
図２に示すように、表面タッチセンサ１２は筐体１０（例えば、金属や樹脂のケース）の表面１０ａに配置され、筐体１０に支持される。
【００２８】
表示部１１は、筐体１０の内部に配置される。例えば、表示部１１を表面タッチセンサ１２の裏面に接着してもよいし、筐体1０の内部に直接固定するか、筐体１０の内部に配置される基板または表示部用ホルダ等に固定してもよい。図２では、表示部１１は、接合部材４０を介して表面タッチセンサ１２に接着されている。図２（ｂ）に示すように、表示部１１を、表面タッチセンサ１２の裏面側に配置すれば、表面タッチセンサ１２および表示部１１によりタッチパネルを構成する際に、表示部１１に自由なユーザインタフェースを表示して、ユーザの操作を表面タッチセンサ１２により検出することができる。なお、接合部材４０は、熱硬化性あるいは紫外線硬化性等を有する接着剤や両面テープ等であり、例えば無色透明のアクリル系紫外線硬化型接着剤である光学弾性樹脂でもよい。
【００２９】
背面タッチセンサ１３は、電子機器１を片手で保持した際に、人差し指で接触可能な範囲を含むように、筐体１０の背面１０ｂに配置され、筐体１０に支持される。例えば、図２（ｂ）（ｃ）に示すように、背面タッチセンサ１３は筐体１０の背面１０ｂの上部に配置される。
【００３０】
図３は、ユーザが電子機器１を左手で保持した状態を示す図である。図３（ａ）は表面側から見た図であり、図３（ｂ）は背面側から見た図である。図３（ｂ）に示すように電子機器１を左手で保持すると、人差し指は背面タッチセンサ１３上に位置する。よって、ユーザは人差し指を折り曲げるだけで他の指は動かすことなく容易に背面タッチセンサ１３を操作することができる。なお、本実施形態では、背面タッチセンサ１３を人差し指が接触可能な位置に限定して配置しているが、より広範囲にわたって配置させてもよい。
【００３１】
次に、本発明に係る電子機器１による処理を説明する。図４は、第１の実施形態に係る電子機器１の処理を示すフローチャートである。
【００３２】
制御部１４は、表面タッチセンサ１２から入力される信号により表面タッチセンサ１２の所定の操作を検出すると（ステップＳ１０１−Ｙｅｓ）、接触位置に表示されているアイコンに対応する処理を実行する（ステップＳ１０２）。例えば、表示部１１がインターネット接続を開始させるためのブラウザアイコンを表示している場合に、表面タッチセンサ１２によりブラウザアイコンの表示位置におけるタップを検出すると、通信部１６によりインターネット接続を開始させ、所定のＵＲＬにアクセスし、取得したサイト画面を表示部１１に表示させる。ステップＳ１０２による処理が、電子機器１のブラウザを終了させる処理であった場合には（ステップＳ１０３−Ｙｅｓ）、処理を終了して、例えば表示部１１にホーム画面（待ち受け画面）を表示させる。
【００３３】
また、制御部１４は、背面タッチセンサ１３から入力される信号により背面タッチセンサ１３の所定の操作（例えば、タップ）を検出すると（ステップＳ１０４−Ｙｅｓ）、表示部１１の上部に位置するアイコンを選択するためのカーソルを表示部１１に表示させる（ステップＳ１０５）。カーソルは複数のアイコンから１つのアイコンを選択可能とするものであればよく、その形態は問われない。例えば選択中のアイコンの近傍にマーカを表示させてもよいし、選択中のアイコンを点滅させたり、他のアイコンと区別可能な色で表示させたりしてもよい。
【００３４】
カーソルは、背面タッチセンサ１３の所定の操作（例えば、スライド）により、表示部１１の上部に位置する所定のエリア内で移動させることができる。制御部１４は、カーソルを表示させた後、表面タッチセンサ１２の所定の操作（例えば、表面タッチセンサ１２内の任意の場所のタッチ）を検出すると（ステップＳ１０６−Ｙｅｓ）、カーソルにより選択されたアイコンに対応する処理を実行する（ステップＳ１０７）。つまり、制御部１４は、カーソルを表示中は、表面タッチセンサ１２の操作を検出するまで、カーソルにより選択されたアイコンに対応する処理を実行せず、その間にユーザはカーソルを移動してアイコンを選択することができる。ステップＳ１０５〜１０７の処理の具体例について、以下に説明する。
【００３５】
図５は、背面タッチセンサ１３の操作により行う処理を説明する図である。図５（ａ）は、ホーム画面やフォルダ画面などの複数のアイコンが表示されている画面を示している。なお、表示の一例として正方形のアイコンＡ〜Ｘを示しているが、アイコンの形状や数はこれに限定されるものではない。片手で電子機器１を操作する際、図５（ａ）に示す画面において、上部に表示されるアイコンを親指で選択するのは困難である。そこで、本発明に係る電子機器１では、制御部１４は背面タッチセンサ１３の所定の操作（例えば、タップ）を検出すると、図５（ｂ）に示すように、表示部１１の上部に位置する所定のエリア（以下、「選択可能エリア」と称する）内におけるアイコンを選択するためのカーソルを表示部１１に表示させる。図５（ｂ）は、カーソルによりアイコンＡが選択されている様子を示している。なお、表示させたカーソルは所定の操作により消去できるものとする。例えば、制御部１４は、背面タッチセンサ１３のダブルタップを検出すると、表示させたカーソルを消去する。
【００３６】
選択可能エリアは、ユーザが電子機器１を片手で操作する際に、親指が届きにくいと想定される範囲である。図５ではアイコンＡ〜Ｈを含むエリアを選択可能エリアとしているが、選択可能エリアは長方形に限定されるものではない。例えば、選択可能エリアをアイコンＡ〜Ｄ，Ｇ，Ｈ，Ｌ，Ｐ，Ｔ，Ｘを含むエリアとしてもよい。ここで、制御部１４はカーソルを表示させる際に、表示部１２内の選択可能エリア以外のエリアをグレーアウトするなどして、選択可能エリアをユーザに判別可能とするのが好適である。図５（ｂ）（ｃ）（ｄ）では、アイコンＩ〜Ｘを破線で示しているが、これはアイコンＡ〜Ｄを含む選択可能エリア以外のエリアがグレーアウトされていることを意味する。
【００３７】
カーソルの位置は、背面タッチセンサ１３の所定の操作（例えば、スライド）により選択可能エリア内で移動させることができる。図５（ｃ）は、カーソルの位置を移動してアイコンＢを選択した様子を示している。なお、背面タッチセンサ１３のスライド操作によりカーソルを選択可能エリア内で移動させる場合、電子機器１を片手で持った状態で人差し指を電子機器１に対して水平にスライドさせることは難しい。そのため、制御部１４は、背面タッチセンサ１３上で斜め方向のスライド操作を検出した場合でも、カーソルを水平方向に移動させるのが好適である。
【００３８】
図５（ｄ）は、選択されたアイコンＢに対応する処理を実行させる様子を示している。制御部１４は、表面タッチセンサ１２の所定の操作を検出すると、カーソルにより選択されたアイコンＢに対応する処理を実行する。つまり、ユーザは、アイコンがカーソルにより選択された状態においては、表面タッチセンサ１２内のどの部分を操作（例えば、タッチ）しても、選択されたアイコンに対応する処理を実行させることができる。ここで、アイコンＩ〜Ｘをグレーアウトしていれば、アイコンＩ〜Ｘを操作しても該アイコンに対応する処理は実行されないことを、ユーザに明示することができる。
【００３９】
上述したように、第１の実施形態に係る電子機器１は、背面タッチセンサ１３の操作を検出すると、制御部１４は表示部１１の上部に位置するアイコンを選択するためのカーソルを表示させ、その後、表面のタッチセンサ１２の操作を検出すると、カーソルにより選択されたアイコンに対応する処理を実行する。このため、電子機器１によれば、片手で表示部１１の上部に位置するアイコンを選択し、選択したアイコンに対応する処理を実行させることができ、片手で電子機器を操作する際の操作性を向上させることが可能となる。
【００４０】
［第２の実施形態］
次に、本発明の第２の実施形態について説明する。図６は、本発明の第２の実施形態に係る電子機器の概略構成を示すブロック図である。第２の実施形態に係る電子機器２は、第１の実施形態に係る電子機器１と比較して、更に押圧検出部２０を備える。その他の構成については第１の実施形態と同一であるため、同一の参照番号を付して説明を省略する。
【００４１】
押圧検出部２０は、背面タッチセンサ１３に対してユーザが操作を行う際の押圧を検出し、押圧に基づくデータを制御部１４に出力する。押圧検出部２０は、例えば、押圧に応じて物理的または電気的な特性（歪み、抵抗、電圧等）が変化する歪みゲージセンサや圧電素子等を用いて構成される。押圧検出部２０が、例えば圧電素子を用いて構成された場合、押圧検出部２０の圧電素子は、背面タッチセンサ１３に対する押圧による荷重（力）の大きさ（または、荷重の大きさが変化する速さ（加速度））に応じて、電気的な特性である電圧値（押圧に基づくデータ）が変化する。なお、押圧に基づくデータは、電圧値の代わりに、押圧による荷重の大きさ、電力値、抵抗値等でもよい。
【００４２】
また、押圧検出部２０は、表面タッチセンサ１２に対してユーザが操作を行う際の押圧を同様にして検出してもよく、本実施形態では、押圧検出部２０が表面タッチセンサ１２に対してユーザが操作を行う際の押圧も検出するものとして、以下説明する。
【００４３】
制御部１４は、押圧検出部２０から背面タッチセンサ１３（および表面タッチセンサ１２）に対する押圧に基づくデータを取得する。そして、制御部１４は、押圧に基づくデータが所定の閾値以上である場合に、所定の操作が行われたと判断し、操作内容に応じて例えばアプリケーションに基づく等して、所定の処理を行うように制御する。
【００４４】
また、押圧検出部２０は、接触検出方式に応じて構成することができる。例えば、接触検出方式が抵抗膜方式の場合には、接触面積の大きさに応じた抵抗の大きさを、タッチセンサのタッチ面に対する押圧の荷重に対応付けることにより、歪みゲージセンサや圧電素子等を用いることなく押圧検出部２０を構成することができる。あるいは、タッチセンサが静電容量方式の場合には、静電容量の大きさを、タッチセンサに対する押圧の荷重に対応付けることにより、歪みゲージセンサや圧電素子等を用いることなく構成することができる。
【００４５】
図７は、第２の実施形態に係る電子機器２の実装構造の一例を示す図である。図７（ａ）は正面図であり、図７（ｂ）は図７（ａ）におけるＡ−Ａ線に沿った断面図であり、図７（ｃ）は背面図である。図７は、図２に示した電子機器１の実装構造に対して、更に押圧検出部２０を構成する圧電素子２１〜２４を図示している。なお、圧電素子の個数や配置位置は、図示した例に限定されるものではない。
【００４６】
図７に示す例では、押圧検出部２０は、第１圧電素子２１、第２圧電素子２２、第３圧電素子２３、および第４圧電素子２４を有し、第１圧電素子２１および第２圧電素子２２により、背面タッチセンサ１３に対してユーザが操作を行う際の押圧を検出し、第３圧電素子２３および第４圧電素子２４により、表面タッチセンサ１２に対してユーザが操作を行う際の押圧を検出する。
【００４７】
なお、図７（ａ）において、表面タッチセンサ１２上において表示部１１による表示を透過させる必要がない領域、すなわち、表面タッチセンサ１２と表示部１１とが重ならない領域は、表面タッチセンサ１２の端辺付近の領域を塗装したりベゼルで覆ったりするのが好適である。このようにすれば、第３圧電素子２３および第４圧電素子２４等が電子機器２の外部から見えてしまうことを防ぐことができる。
【００４８】
次に、本発明に係る電子機器２による処理を説明する。図８は、第２の実施形態に係る電子機器２の処理を示すフローチャートである。
【００４９】
制御部１４は、表面タッチセンサ１２から入力される信号により表面タッチセンサ１２の所定の操作を検出すると（ステップＳ２０１−Ｙｅｓ）、押圧検出部２０から表面タッチセンサ１２に対する押圧に基づくデータを取得する（ステップＳ２０２）。そして、制御部１４は、取得した押圧に基づくデータが所定の閾値（基準）を満たしたか否かを判定し（ステップＳ２０３）、押圧に基づくデータが所定の閾値を満たした場合に（ステップＳ２０３−Ｙｅｓ）、表面タッチセンサ１２の押圧操作が行われたと判断し、押圧位置に表示されているアイコンに対応する処理を実行する（ステップＳ２０４）。ここで、押圧に基づくデータが所定の閾値を満たした際とは、押圧に基づくデータが所定の基準値に達した際であってもよいし、押圧に基づくデータが所定の基準値を超えた際でもよいし、所定の基準値と等しい押圧に基づくデータが検出された際でもよい。ステップＳ２０４による処理が、アプリケーションやメニュー等を終了させる処理であった場合には（ステップＳ２０５−Ｙｅｓ）、処理を終了して、例えば表示部１１にホーム画面（待ち受け画面）を表示させる。
【００５０】
また、制御部１４は、背面タッチセンサ１３から入力される信号により背面タッチセンサ１３の所定の操作を検出すると（ステップＳ２０６−Ｙｅｓ）、押圧検出部２０から背面タッチセンサ１３に対する押圧に基づくデータを取得する（ステップＳ２０７）。そして、制御部１４は、取得した押圧に基づくデータが所定の閾値（基準）を満たしたか否かを判定し（ステップＳ２０８）、押圧に基づくデータが所定の閾値を満たした場合に（ステップＳ２０８−Ｙｅｓ）、背面タッチセンサ１３の操作が行われたと判断し、表示部１１の上部に位置するアイコンを選択するためのカーソルを表示部１１に表示させる（ステップＳ２０９）。
【００５１】
カーソルは、背面タッチセンサ１３の所定の操作（例えば、スライド）により、選択可能エリア内で移動させることができる。制御部１４は、ステップＳ２０９によりカーソルを表示（および移動）させた後、表面タッチセンサ１２の所定の操作を検出すると（ステップＳ２１０−Ｙｅｓ）、押圧検出部２０から表面タッチセンサ１２に対する押圧に基づくデータを取得する（ステップＳ２１１）。そして、制御部１４は、取得した押圧に基づくデータが所定の閾値（基準）を満たしたか否かを判定し（ステップＳ２１２）、押圧に基づくデータが所定の閾値を満たした場合に（ステップＳ２１２−Ｙｅｓ）、表面タッチセンサ１２の押圧操作が行われたと判断し、カーソルにより選択されたアイコンに対応する処理を実行する（ステップＳ２１３）。
【００５２】
上述したように、第２の実施形態に係る電子機器２は、押圧検出部２０を更に備え、制御部１４は、背面タッチセンサ１３に対する押圧に基づくデータが所定の基準を満たした場合に、背面タッチセンサ１３の操作が行われたと判断する。そのため、電子機器２は、他の物体と軽く接触しただけでユーザによる操作が行われたと判断することを防止できる。特に、電子機器を保持する際には背面に指が接触するが、押圧検出部２０により押圧を検出することにより、ユーザが操作を意図していないのにもかかわらず操作したものと誤判断することを防止できる。
【００５３】
［第３の実施形態］
次に、本発明の第３の実施形態について説明する。図９は、本発明の第３の実施形態に係る電子機器の概略構成を示すブロック図である。第３の実施形態に係る電子機器３は、第２の実施形態に係る電子機器２と比較して、更に触感呈示部３０を備える。その他の構成については第２の実施形態と同一であるため、同一の参照番号を付して説明を省略する。
【００５４】
触感呈示部３０は、制御部１４から供給される駆動信号に基づいて所定の振動を発生する。駆動信号については、表現したいリアルなボタンが挙動する振動を、指が接触する位置において表現する駆動信号であればよい。
【００５５】
触感呈示部３０は、圧電素子、超音波振動子、または振動モータ（偏心モータ）等を用いて構成され、所定の振動パターンによる振動を発生させることにより、背面タッチセンサ１３を押圧しているユーザの指に対して触感を呈示し、ユーザに背面タッチセンサ１３を操作したことを感覚的に通知する。触感呈示部３０は、機械的な振動を使わずに、背面タッチセンサ１３上に貼ったフィルムの電荷を制御する等により、背面タッチセンサ１３を押圧しているユーザの指に対して触感を呈示してもよい。
【００５６】
また、触感呈示部３０は、表面タッチセンサ１２に対しても、同様にして振動を発生させて、表面タッチセンサ１２を押圧しているユーザの指に対して触感を呈示するようにしてもよい。
【００５７】
なお、触感呈示部３０は、押圧検出部２０と一体化して構成することもできる。特に、押圧検出部２０および触感呈示部３０を圧電素子を用いて構成する場合は、圧電素子を共用することもできる。圧電素子は、圧力が加わると電圧を発生し、電圧が加えられると変形するためである。この場合の実装構造例は、図７に示した通りである。
【００５８】
押圧検出部２０および触感呈示部３０を圧電素子を用いて構成する場合、制御部１４は、圧電素子の電圧値が所定の閾値を満たした際に、所定の処理を行うとともに、該圧電素子を駆動することにより振動を発生させるようにしてもよい。ここで、圧電素子の電圧値が所定の閾値を満たした際とは、電圧値が所定の基準値に達した際であってもよいし、電圧値が所定の基準値を超えた際でもよいし、所定の基準値と等しい電圧値が検出された際でもよい。
【００５９】
上述したように、第３の実施形態に係る電子機器３は、触感呈示部３０を更に備え、制御部１４から供給される駆動信号に基づいて所定の振動を発生する。そのため、電子機器３は、ユーザが背面タッチセンサ１３（および表面タッチセンサ１２）を操作した際に、意図した操作が行われたことを感覚的にユーザに通知することができる。
【００６０】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【００６１】
１，２，３  電子機器
１１        表示部
１２        表面タッチセンサ
１３        背面タッチセンサ
１４        制御部
１５        記憶部
１６        通信部
１７        マイク
１８        スピーカ
２０        押圧検出部
２１        第１圧電素子
２２        第２圧電素子
２３        第３圧電素子
２４        第４圧電素子
３０        触感呈示部
４０        接合部材
【図１】
2015106173.tif 000003
【図２】
2015106173.tif 000004
【図３】
2015106173.tif 000005
【図４】
2015106173.tif 000006
【図５】
2015106173.tif 000007
【図６】
2015106173.tif 000008
【図７】
2015106173.tif 000009
【図８】
2015106173.tif 000010
【図９】
2015106173.tif 000011